(57)【要約】【課題】  誰でも簡単にフェルトを作成することができるフェルトの作成方法を提供する。【解決手段】  フェルトの作成方法は、球体Ａに羊毛Ｂを巻き付ける第１の工程と、前記羊毛Ｂを巻き付けた球体Ａと羊毛Ｂのキューティクルを開かせる液体Ｃを、密閉容器１内に入れる第２の工程と、球体Ａを密閉容器１の内面に衝突部位を変更しつつ連続的に衝突させることにより、球体Ａに巻きつけられた羊毛Ｂに圧力を加えて前記液体Ｃにより開いた羊毛Ｂのキューティクル同志を絡めさせて羊毛Ｂをフェルト化させる第３の工程と、密閉容器１内から球体Ａを取り出し、洗浄後、乾燥させる第４の工程とからなる。【選択図】        図３
2004339673.tif 000002
【特許請求の範囲】
【請求項１】
球体に羊毛を巻き付ける第１の工程と、
前記羊毛を巻き付けた球体と羊毛のキューティクルを開かせる液体を、密閉容器内に入れる第２の工程と、
球体を密閉容器の内面に衝突部位を変更しつつ連続的に衝突させることにより、球体に巻きつけられた羊毛に圧力を加えて前記液体により開いた羊毛のキューティクル同志を絡めさせて羊毛をフェルト化させる第３の工程と、
密閉容器内から球体を取り出し、洗浄後、乾燥させる第４の工程と、
からなることを特徴とするフェルトの作成方法。
【請求項２】
球体に羊毛を巻き付ける第１の工程と、
前記羊毛を巻き付けた球体と羊毛のキューティクルを開かせる液体を、密閉容器内に入れる第２の工程と、
前記球体を前記密閉容器の内面に対して衝突部位を変更しつつ連続的に衝突させることにより、球体に巻きつけられた羊毛に圧力を加えて前記液体により開いた羊毛のキューティクル同志を絡めさせて羊毛をフェルト化させる第３の工程と、
密閉容器内から球体を取り出し、洗浄後、球体の球面に沿って丸め、乾燥させる第４の工程と、
からなることを特徴とするフェルト球の作成方法。
【請求項３】
羊毛を巻き付けた球体と羊毛のキューティクルを開かせる液体を入れる密閉容器に対して、球体を密閉容器の内面に対して衝突部位を変更しつつ連続的に衝突させることによりフェルトを作成するフェルトの作成装置であって、
振動手段と駆動手段からなり、
振動手段は、前記密閉容器を転動させる転動部と、転動部の転動方向両側に設けられ、転動した密閉容器を当接させる当接部とを有し、
駆動手段は、振動手段の転動部の傾斜方向を交互に変えて、密閉容器を転動部において強制的に往復転動させ、密閉容器内の球体を回転させると共に、密閉容器が当接部に当接した時に密閉容器内の球体を密閉容器の内面に衝突させて、羊毛に圧力を加え、開いたキューティクル同志を絡めさせて羊毛をフェルト化させる駆動機構を有することを特徴とするフェルトの作成装置。
【請求項４】
駆動手段の駆動機構は、転動部を一方に傾けるように付勢する弾性部材と、転動部に連係され、間欠的に転動部を駆動する出力部とを有し、出力部が駆動されると、転動部が弾性部材の弾性に抗して他方に傾いて密閉容器を他方に転動させ、出力部の駆動が解除されると、転動部が弾性部材の弾性によって一方に傾いて密閉容器を一方に転動させて一方の当接部に当接させるようになっていることを特徴とする請求項３記載のフェルトの作成装置。
【請求項５】
駆動手段の駆動機構は、回転ハンドルを備え、回転ハンドルの駆動が出力部に間欠的に伝達されるようになっていることを特徴とする請求項４記載のフェルトの作成装置。
【請求項６】
駆動手段の駆動機構は、駆動モータを備え、駆動モータの駆動が出力部に間欠的に伝達されるようになっていることを特徴とする請求項４記載のフェルトの作成装置。
【発明の詳細な説明】
【技術分野】
【０００１】
本願発明は、羊毛をフェルト化するフェルトの作成方法及び羊毛をフェルト化するフェルトの作成装置に関するものである。
【背景技術】
【０００２】
従来、羊毛をフェルト化させてフェルトを作成するには、球体に羊毛を巻き付け、羊毛を巻き付けた球体に、羊毛のキューティクルを開かせる液体、例えば石けん水をかけ、ビニール袋に入れる。手の中で球体を転がしながら、ビニール袋の上から球体全体に圧力を加えると、開いたキューティクル同志が絡まって羊毛がフェルト化する。このフェルト化した羊毛を洗浄して石けん水を洗い流し、乾燥させるとフェルトができる（例えば、非特許文献１参照）。
【非特許文献１】「フェルト羊毛でつくるクルクル＆コロコロマスコット」株式会社ブティック社、２００２年１０月２０日、Ｐ．２６−２７
【発明の開示】
【発明が解決しようとする課題】
【０００３】
上記従来のフェルトの作成方法は、手で行うため、羊毛に加える力の加減や、全体に万遍なく圧力を加えるやり方に、慣れと経験を要し、誰でも簡単に行うことができないという問題点があった。また、球体を手で丸める作業は子供にとって面白みに欠けるため遊びとしての魅力がなく、さらには、ビニール袋では密閉しきれないため石けん水を入れてフェルト球を作成する際、石けん水が飛び散り周囲を汚す可能性があり、やはり子供が一人で行なうにはむずかしいものであった。また、羊毛に加える力は、大きいと羊毛を千切ってしまうことになり、小さいと開いたキューティクル同志が絡まらずに羊毛がフェルト化しないので、加減を調節することができなければ、フェルトを作成することが難しく、機械的にフェルトを作成することは難しかった。特に、機械では圧力を加える位置に偏りがあり、全体に万遍なく圧力を加えることは難しいという問題点があった。
【０００４】
本願発明は、上記問題点に鑑み発明されたものであって、慣れと経験を必要とせず、誰でも楽しみながら比較的周囲を汚さずに簡単にフェルトを作成することができるフェルトの作成方法を提供すること第１の目的とする。また、誰でも楽しみながら比較的周囲を汚さずに簡単にフェルト球を作成することができるフェルト球の作成方法を提供すること第２の目的とする。さらに、このフェルトの作成方法を利用して機械的にフェルトを作成することができるフェルトの作成装置を提供することを第３の目的とする。
【課題を解決するための手段】
【０００５】
本願請求項１記載のフェルトの作成方法は、上記第１の目的を達成するため、球体に羊毛を巻き付ける第１の工程と、前記羊毛を巻き付けた球体と羊毛のキューティクルを開かせる液体を、密閉容器内に入れる第２の工程と、球体を密閉容器の内面に衝突部位を変更しつつ連続的に衝突させることにより、球体に巻きつけられた羊毛に圧力を加えて前記液体により開いた羊毛のキューティクル同志を絡めさせて羊毛をフェルト化させる第３の工程と、密閉容器内から球体を取り出し、洗浄後、乾燥させる第４の工程とからなる。
【０００６】
本願請求項２記載のフェルト球の作成方法は、上記第２の目的を達成するため、球体に羊毛を巻き付ける第１の工程と、前記羊毛を巻き付けた球体と羊毛のキューティクルを開かせる液体を、密閉容器内に入れる第２の工程と、前記球体を前記密閉容器の内面に対して衝突部位を変更しつつ連続的に衝突させることにより、球体に巻きつけられた羊毛に圧力を加えて前記液体により開いた羊毛のキューティクル同志を絡めさせて羊毛をフェルト
化させる第３の工程と、密閉容器内から球体を取り出し、洗浄後、球体の球面に沿って丸め、乾燥させる第４の工程とからなる。
【０００７】
本願請求項３記載のフェルトの作成装置は、上記第３の目的を達成するため、羊毛を巻き付けた球体と羊毛のキューティクルを開かせる液体を入れる密閉容器に対して、球体を密閉容器の内面に対して衝突部位を変更しつつ連続的に衝突させることによりフェルトを作成するフェルトの作成装置であって、振動手段と駆動手段からなり、振動手段は、前記密閉容器を転動させる転動部と、転動部の転動方向両側に設けられ、転動した密閉容器を当接させる当接部とを有し、駆動手段は、振動手段の転動部の傾斜方向を交互に変えて、密閉容器を転動部において強制的に往復転動させ、密閉容器内の球体を回転させると共に、密閉容器が当接部に当接した時に密閉容器内の球体を密閉容器の内面に衝突させて、羊毛に圧力を加え、開いたキューティクル同志を絡めさせて羊毛をフェルト化させる駆動機構を有する。
【０００８】
本願請求項４記載のフェルトの作成装置は、上記第３の目的を達成するため、上記駆動手段の駆動機構は、転動部を一方に傾けるように付勢する弾性部材と、転動部に連係され、間欠的に転動部を駆動する出力部とを有し、出力部が駆動されると、転動部が弾性部材の弾性に抗して他方に傾いて密閉容器を他方に転動させ、出力部の駆動が解除されると、転動部が弾性部材の弾性によって一方に傾いて密閉容器を一方に転動させて一方の当接部に当接させるようになっている。
【０００９】
本願請求項５記載のフェルトの作成装置は、上記第３の目的を達成するため、上記駆動手段の駆動機構は、回転ハンドルを備え、回転ハンドルの駆動が出力部に間欠的に伝達されるようになっている。
【００１０】
本願請求項６記載のフェルトの作成装置は、上記第３の目的を達成するため、上記駆動手段の駆動機構は、駆動モータを備え、駆動モータの駆動が出力部に間欠的に伝達されるようになっている。
【発明の効果】
【００１１】
フェルトの作成方法は、羊毛を巻き付けた球体と羊毛のキューティクルを開かせる液体を密閉容器内に入れ、球体を密閉容器の内面に衝突部位を変更しつつ連続的に衝突させるだけで羊毛をフェルト化させることができ、また、羊毛のキューティクルを開かせる液体を密閉容器内に密閉しているため、従来のような、慣れと経験が不要であり、誰でも楽しみながら比較的周囲を汚さずに簡単にフェルトを作成することができるという効果がある。
【００１２】
またフェルト球の作成方法は、羊毛を巻き付けた球体と羊毛のキューティクルを開かせる液体を密閉容器内に入れ、球体を密閉容器の内面に衝突部位を変更しつつ連続的に衝突させ、密閉容器内から球体を取り出して洗浄し、球体の球面に沿って丸め、乾燥させるだけでフェルト球を作成することができ、また、羊毛のキューティクルを開かせる液体を密閉容器内に密閉しているため、慣れと経験が不要であり、誰でも楽しみながら比較的周囲を汚すことなく簡単に行うことができるという効果がある。
【００１３】
フェルトの作成装置は、駆動手段を駆動すると、振動手段の転動部の傾斜方向を交互に変えて、密閉容器を転動部において強制的に往復転動させることにより、球体が次に密閉容器の内面に衝突する衝突部位を変更することができ、また、転動部の端部に設けられた当接部に密閉容器を衝突させることにより球体を密閉容器の内面に衝突させることができるので、手で密閉容器を不規則に振動させる場合と同じ作用効果を達成することができるという効果がある。
【００１４】
フェルトの作成装置は、駆動手段の駆動機構に回転ハンドルを備えると、回転ハンドルを回しているだけで、振動手段の転動部の傾斜方向を交互に変えて、密閉容器を転動部において強制的に往復転動させることができるので、誰でも簡単にフェルトを作成することができるという効果がある。
【００１５】
フェルトの作成装置は、駆動手段の駆動機構に駆動モータを備えると、駆動モータを駆動するだけで、振動手段の転動部の傾斜方向を交互に変えて、密閉容器を転動部において強制的に往復転動させることができるので、誰でも簡単にフェルトを作成することができるという効果がある。
【発明を実施するための最良の形態】
【００１６】
本願発明に係るフェルトの作成方法の実施の形態を、図１乃至３に基づいて説明する。図１は、本願発明に係るフェルトの作成方法に使用される密閉容器の一つの実施の形態を示す分解斜視図である。図２は、図１の密閉容器の断面図である。図３は、本願発明に係るフェルトの作成方法を説明する説明図である。又、本願発明に係るフェルトの作成装置の実施の形態を、図４乃至１０に基づいて説明する。図４は、本願発明に係るフェルトの作成装置の一つの実施の形態を示す全体斜視図である。図５は、図４のフェルトの作成装置の要部分解斜視図である。図６は、図５の組立断面図である。図７、８は、図５の動きを説明する動作説明図である。図９、１０は、図４のフェルトの作成装置の使用方法を説明する斜視図である。
【００１７】
フェルトの作成方法は以下の工程からなる。第１の工程として球体Ａに羊毛Ｂを巻き付ける。この際、羊毛Ｂを球体Ａの表面の略全てを覆う程度まで巻きつけることが望ましい。次に第２の工程として、第１の工程にて羊毛Ｂを巻き付けた球体Ａと羊毛Ｂのキューティクルを開かせる液体Ｃを、密閉容器１内に入れる。キューティクルを開かせる性質を有する液体Ｃは、市販の中性洗剤、洗髪料等をぬるま湯と混合したものが使用可能である。なお、中性洗剤等とぬるま湯との混合比を略１対１の割合とすると、後述する第３の工程にて密閉容器１を振動させた際、十分に羊毛のキューティクルを開かせつつも泡が立ちすぎないようにすることが出来る。第３の工程として、球体Ａを密閉容器１の内面に対して衝突部位を変更しつつ連続的に衝突させることにより、羊毛Ｂに圧力を加えて前記液体により開いたキューティクル同志を絡めさせて羊毛Ｂをフェルト化させる。具体的には密閉容器１を不規則に振動させるか、後述するフェルト球の作成装置を用いることにより、球体Ａを密閉容器１の内面に対して衝突部位を変更しつつ衝突させる。衝突部位を変更することにより球体Ａ上の羊毛Ｂに略偏りなく圧力をかけることが可能となり、羊毛Ｂ全体をフェルト化させることができる。第４の工程として、密閉容器１内からフェルト化した羊毛Ｂが表面に付着した球体Ａを取り出し、洗浄後、水分を落とし、乾燥させる。
【００１８】
フェルト球の作成方法は以下の工程からなる。第１の工程として球体Ａに羊毛Ｂを巻き付ける。この際、羊毛Ｂを球体Ａの表面の略全てを覆う程度まで巻きつけることが望ましい。次に第２の工程として、第１の工程にて羊毛Ｂを巻き付けた球体Ａと羊毛Ｂのキューティクルを開かせる液体Ｃを、密閉容器１内に入れる。キューティクルを開かせる性質を有する液体Ｃは、市販の中性洗剤、洗髪料等をぬるま湯と混合したものが使用可能である。なお、中性洗剤等とぬるま湯との混合比を略１対１の割合とすると、後述する第３の工程にて密閉容器１を振動させた際、十分に羊毛のキューティクルを開かせつつも泡が立ちすぎないようにすることが出来る。第３の工程として、球体Ａを密閉容器１の内面に対して衝突部位を変更しつつ連続的に衝突させることにより、球体Ａを巻きつけられた羊毛Ｂに圧力を加えて前記液体により開いたキューティクル同志を絡めさせて羊毛Ｂをフェルト化させる。具体的には密閉容器１を不規則に振動させるか、後述するフェルト球の作成装置を用いることにより、球体Ａを密閉容器１の内面に対して衝突部位を変更しつつ衝突さ
せる。衝突部位を変更することにより球体Ａ上の羊毛Ｂに略偏りなく圧力をかけることが可能となり、羊毛Ｂ全体をフェルト化させることができる。第４の工程として、密閉容器１内から球体Ａを取り出し、羊毛Ｂを洗浄後、水分を落としてから球体Ａの球面に沿って丸め、乾燥させる。球体の球面に沿って丸めることで、より球体Ａ表面に羊毛Ｂを密着させてフェルト化させることができる。
【００１９】
フェルトの作成装置１０は、羊毛Ｂを巻き付けた球体Ａと羊毛Ｂのキューティクルを開かせる液体Ｃを入れる密閉容器１に対して、球体Ａが密閉容器１の内面に対して衝突部位を変更しつつ連続的に衝突するよう外力を加えてフェルトを作成するものであって、振動手段１１と駆動手段５１からなり、振動手段１１は、前記密閉容器１を転動させる転動部１６と、転動部１６の転動方向両側に設けられ、転動した密閉容器１を当接させる当接部３７，３８とを有する。駆動手段５１は、振動手段１１の転動部１６の傾斜方向を交互に変えて、密閉容器１を転動部１６において強制的に往復転動させ、密閉容器１内の球体Ａを回転させると共に、密閉容器１が当接部３８に当接した時に密閉容器１内の球体Ａを密閉容器１の内面に衝突させて、羊毛Ｂに圧力を加え、開いたキューティクル同志を絡めさせて羊毛Ｂをフェルト化させる駆動機構６１を有する。
【００２０】
上記駆動手段５１の駆動機構６１は、転動部１６を一方に傾けるように付勢する弾性部材３６と、転動部１６に連係され、間欠的に転動部１６を駆動する出力部９３とを有し、出力部９３が駆動されると、転動部１６が弾性部材３６の弾性に抗して他方に傾いて密閉容器１を他方に転動させ、出力部９３の駆動が解除されると、転動部１６が弾性部材３６の弾性によって一方に傾いて密閉容器１を一方に転動させて一方の当接部３８に当接させるようになっている。
【００２１】
上記駆動手段５１の駆動機構６１は、回転ハンドル６６を備え、回転ハンドル６６の駆動が出力部９３に間欠的に伝達されるようになっている。
【００２２】
上記駆動手段５１の駆動機構６１は、駆動モータを備え、駆動モータの駆動が出力部９３に間欠的に伝達されるようになっている。
【００２３】
さらにフェルトの作成方法について詳細に説明する。この方法に使用される密閉容器１は、図１に示すように、合成樹脂素材によって形成された球状のカプセルであって内面は湾曲面が形成されいており、第１の半体２と第２の半体３に二分割されている。第１の半体２の開口周縁には、嵌合突起２ａが形成されている。第２の半体３の開口周縁には、嵌合段部３ａが形成されている。密閉容器１は、第１の半体２の嵌合突起２ａを第２の半体３の嵌合段部３ａに嵌合することによって形成されており、密閉容器１内部は後述する羊毛Ｂのキューティクルを開かせる液体Ｃを入れた際に外部に流出しない程度に密閉される。
【００２４】
密閉容器１のサイズは、特に限定されないが、その直径は後述する球体Ａの直径より３ｃｍから５ｃｍ程度大きいものが良い。また、密閉容器１は、真球状に形成されているが、楕円球体状等、特に形状に限定されるものではない。また、密閉容器１を透過性を有する素材で形成すると羊毛Ｂがフェルト化する様子を観察することができる。また、第１の半体２の開口周縁には、雄ネジを形成し、第２の半体３の開口周縁に雌ネジを形成し、第１の半体２の雄ネジを第２の半体３の雌ネジに螺合することによって、密閉容器１を形成すると、さらに密閉容器１の密閉の度合いを高めることができる。
【００２５】
フェルトの作成方法は、以下の第１から第４の工程からなる。第１の工程は、球体Ａに羊毛Ｂを巻き付ける工程である。球体Ａは、発泡スチロール製のものが好ましい（図３（ａ）参照）。球体Ａのサイズは、特に限定されないが、本実施の形態では、直径２０ｍｍ
又は４５ｍｍである。この球体Ａに羊毛Ｂを巻き付けていく（図３（ｂ）参照）。球体Ａに羊毛Ｂを直接巻き付けても構わないが、球体Ａの周囲に両面テープを貼り付けたり、接着剤等を塗布してから、羊毛Ｂを巻き付けても良い。このようにすると、羊毛Ｂが球体Ａから外れたり、ずれたりすることが少なくなる。
【００２６】
第２の工程は、羊毛Ｂを巻き付けた球体Ａと羊毛Ｂのキューティクルを開かせる液体Ｃを、密閉容器１内に入れる（図１（ｃ）参照）。液体Ｃは、石けん水であるが、アルカリ性洗剤、中性洗剤と水を混合したものでも構わない。また、液体Ｃは、常温でも構わないが、熱いほどフェルト化が進むので、ある程度温かい方が好ましい。また、石けん、アルカリ性洗剤、中性洗剤と水との混合比を１対１程度にしておくと、後述する第３の工程にて十分に羊毛Ｂのキューティクルを開かせる機能を発揮させつつ泡が立ちすぎないようにすることができる。球体Ａを密閉容器１の第１の半体２に入れ、上記液体Ｃを適量（本実施例では第１の半体２の開口周縁近傍まで）注水し、第１の半体２の嵌合突起２ａに第２の半体３の嵌合段部３ａを嵌合して、密閉容器１を完成させる。
【００２７】
第３の工程は、球体Ａを密閉容器１の内面に対して衝突部位を変更しつつ連続的に衝突させることにより、球体Ａに巻きつけられた羊毛Ｂに圧力を加えて前記液体により開いたキューティクル同士を絡めさせて羊毛Ｂをフェルト化させる。具体的には、密閉容器１を不規則に振動させることにより（図３（ｄ）参照）、慣性により密閉容器１の内面に球体Ａを衝突させる。また、この際不規則に振動を加えるため衝突毎に衝突する衝突部位は変更される。また、本実施例のように密閉容器１が湾曲している場合、密閉容器１の振る動作は、内部の球体Ａが密閉容器１の内面をこすりながら回るような感覚で振ることにより、球体Ａは密閉容器１内において、内面に衝突部位を変更しつつ衝突する動作のみならず、羊毛Ｂを密閉容器１の内面に摺接させて擦る動作が行なわれる。このことにより、より液体Ｃによって開かれたキューティクル同志が絡み合いフェルト化が促進される。
【００２８】
第４の工程は、密閉容器１内から球体Ａを取り出し、洗浄後（図３（ｅ）参照）、乾燥させる。洗浄により、羊毛Ｂの液体Ｃを水道水等により洗い流し、球体Ａを手で絞ったり、振ったりしたり、或いは脱水機にかけて、水分を落とし、後は自然乾燥させる。このようにして、球体Ａの回りには、フェルト化した羊毛Ｂが付着しており、これを千切って使用することができる。なお、この第４の工程において、水分を落としてから球体Ａの球面に沿って羊毛Ｂを丸めてから乾燥させると、球体Ａにフェルト化した羊毛Ｂがより密着しフェルト球Ｄが形成される。なお、乾燥は、自然乾燥が好ましいが、ドライヤー等の熱風発生装置によって乾燥させても構わない。
【００２９】
フェルトの作成装置１０は、羊毛Ｂを巻き付けた球体Ａと羊毛Ｂのキューティクルを開かせる液体Ｃを入れる密閉容器１に対して、球体Ａが密閉容器１の内面に対して衝突部位を変更しつつ連続的に衝突するよう外力を加えてフェルトを作成するものである。フェルトの作成装置１０は、振動手段１１と駆動手段５１とからなる。振動手段１１は、基台１２と、基台１２の短手方向両側に設けられた支柱１３，１５と、支柱１３，１５に回動自在に取り付けられた転動部１６と、基台１２内に設けられた歯車群２０とからなる。
【００３０】
歯車群２０は、軸受け部材２１に回動自在に取り付けられた入力軸２２を有し、入力軸２２の先端に係合ピン２３が設けられ、入力軸２２の後端に第１の傘歯車２５が設けられている。また歯車群２０は、軸受け部材２６に回動自在に取り付けられた中間軸２７を有し、中間軸２７の先端に第１の傘歯車２５と噛み合う第２の傘歯車２９が設けられ、中間軸２７の後端に下部歯車３０が設けられている。
【００３１】
下部歯車３０は、前記一方の支柱１３内に配置され、支柱１３内に回動自在に取り付けられた中間歯車３１と噛み合っている。中間歯車３１は、支柱１３内の上部に設けられた
上部歯車３２と噛み合っている。上部歯車３２は、回転軸３５に固定して取り付けられている。
【００３２】
転動部１６は、断面が略Ｕ字状に形成され、長手方向（密閉容器１の転動方向）両側に当接壁（当接部）３７，３８が一体に設けられている。当接壁３７，３８の内側面には、スポンジ、ゴム、ウレタン等の弾性部材で形成された緩衝板４０，４０が設けられ、密閉容器１が当接壁３７，３８の内側面に衝突する衝撃を緩衝板４０，４０が柔らげている。
【００３３】
当接壁３７，３８の外側面には、差込穴４１を有する肉厚部４２が形成され、当該差込穴４１に飛び出し防止板４３が着脱自在に取り付けられるようになっている。飛び出し防止板４３は、転動部１６の内側に向かって折曲された折曲片４４を有し、折曲片４４が密閉容器１の飛び出しを防止する。
【００３４】
転動部１６の長手方向中間部には、転動部１６を固定する固定台４５が設けられている。固定台４５は、一方の支柱１３の回転軸３５に固定され、他方の支柱１５の支軸４６に回動自在に枢支されている。基台１２の上面であって、長手方向両側には、スポンジ、ゴム、ウレタン等の弾性部材で形成された緩衝板４７，４７が設けられ、転動部１６の長手方向両下端縁３７ａ，３８ａが基台１２の上面に衝突する衝撃を緩衝板４７，４７が柔らげている。また、転動部１６は、転動部１６の一方に設けられた支軸４８と基台１２の上面に設けられたフック４９に連結されたバネ状の弾性部材３６によって、一方に傾くように付勢され、転動部１６の一方の下端縁３８ａが基台１２の緩衝板４７に圧接している。
【００３５】
駆動手段５１は、矩形箱状のケース５２と、ケース５２内に設けられた駆動機構６１とからなる。ケース５２は、正面板５３と、上面板５４と、右面板５５と、左面板５６と、下面板５７とからなる矩形枠５８と、矩形枠５８にネジ６８によって取り付けられる背面板５９とからなる。正面板５３の上部には軸受け孔６２が形成され、軸受け孔６２に駆動軸６３が回動自在に軸受けされている。駆動軸６３は、正面板５３を挟むようにして内側にフランジ６５が形成され、外側に回転ハンドル６６がネジ６７によって固定されている。
【００３６】
駆動軸６３は、フランジ６５より内側に矩形軸６９が形成され、矩形軸６９に大平歯車７０が回動自在に設けられている。大平歯車７０の側面には、固定爪車７１が形成され、固定爪車７１の周囲に環状のガイド壁７２が形成されている。さらに、矩形軸６９には、可動爪車７３が回動不能且つ軸方向に移動可能に取り付けられている。可動爪車７３は、背面板５９に形成された開口８０から出し入れ可能であって、バネ状の弾性部材７５によって、固定爪車７１に圧接する方向に付勢されている。可動爪車７３と固定爪車７１によって爪クラッチ７４が構成される。
【００３７】
弾性部材７５は、一端が可動爪車７３に形成された凹部７６に遊嵌され、他端がキャップ７７を介して有底筒状の取付部材７９内に挿設されている。取付部材７９は、両側に係合板８１が設けられている。背面板５９の外側面であって、開口８０の周囲には、環状のガイド壁８２が形成されている。ガイド壁８２の内側両側には、一対の被係合板８３，８３が形成されている。従って、可動爪車７３を開口８０から挿設し、取付部材７９内にキャップ７７及び弾性部材７５を装着し、取付部材７９を回動して係合板８１を被係合板８３，８３に係合することによって、取付部材７９は背面板５９に着脱自在に取り付けられている。
【００３８】
正面板５３と背面板５９の間には中間軸８５が設けられ、中間軸８５に中間歯車８６が回動自在に設けられている。中間歯車８６は、前記大平歯車７０と噛み合っている。さらに正面板５３と背面板５９の間には下部軸８７が設けられ、下部軸８７に下部歯車８９が
回動自在に設けられている。下部歯車８９は、前記中間歯車８６と噛み合っている。下部歯車８９には、円板９０が一体に形成され、円板９０に環状の周壁９１が形成されている。この周壁９１には、係合突起９２が設けられている。
【００３９】
背面板５９には、円筒状の出力軸９３が回動自在に設けられている。出力軸９３の後端はケース５２内に位置しており、ハート型の揺動部材９５が固定して取り付けられている。揺動部材９５は、前記下部軸８７を挿通する長孔９６が形成され、長孔９６の両端が下部軸８７に当接する範囲で、出力軸９３を中心として揺動できるようになっている。
【００４０】
揺動部材９５は、揺動部材９５の一側と背面板５９の支軸９４の間に設けられたバネ状の弾性部材９７によって時計回転方向に付勢されている。また、揺動部材９５は、前記下部歯車８９の係合突起９２と所定位置まで係合する係合軸９８が設けられている。出力軸９３の先端には、前記入力軸２２の係合ピン２３を係合する係合溝９９が形成されている。
【００４１】
駆動機構６１は、駆動軸６３と、回転ハンドル６６と、矩形軸６９と、大平歯車７０と、固定爪車７１と可動爪車７３とからなる爪クラッチ７４と、弾性部材７５と、中間歯車８６と、下部歯車８９と、係合突起９２と、揺動部材９５と、弾性部材９７と、係合軸９８と、出力軸９３とからなっている。駆動手段５１は、出力軸９３に入力軸２２を挿入し、入力軸２２の係合ピン２３を出力軸９３の係合溝９９に係合させるようにして、基台１２に形成された取付凹部１７に嵌合され、ネジ等により基台１２に固定されている。
【００４２】
フェルトの作成装置１０は、上記構成を有し、回転ハンドル６６を回転させると、駆動軸６３、矩形軸６９、可動爪車７３が回転する。可動爪車７３は、弾性部材７５によって固定爪車７１に圧接しているので、固定爪車７１も回転し、大平歯車７０、中間歯車８６、下部歯車８９を介して係合突起９２が反時計方向に回転する。なお、何等かの障害によって大平歯車７０が回転不能になっている場合には、弾性部材７５の弾性に抗して、可動爪車７３が固定爪車７１に対して滑るように回転するため、回転ハンドル６６の回転が大平歯車７０以下の歯車に伝達されず、駆動手段５１を壊してしまうことがない。
【００４３】
係合突起９２が反時計方向に回転すると、図７に示すように、所定位置で揺動部材９５の係合軸９８と係合し、さらに略三分の一回転すると、係合軸９８と係合しなくなる。これは、係合突起９２が下部軸８７を中心として回転するのに対し、係合軸９８が出力軸９３を中心として回転するため、係合突起９２の回転半径が係合軸９８の回転半径より短いからである。
【００４４】
揺動部材９５は、係合突起９２が係合軸９８と係合して回転すると、弾性部材９７の弾性に抗して反時計方向に回転し（図８参照）、略三分の一回転すると、係合突起９２が係合軸９８から外れるため、弾性部材９７の弾性によって時計方向に略三分の一回転して、元の位置に復帰する。揺動部材９５は、このように回動するため、出力軸９３も同様に、反時計方向に略三分の一回転したら、次に弾性部材９７の弾性によって瞬間的に時計方向に略三分の一回転して、元の位置に復帰する。
【００４５】
出力軸９３の回転は、入力軸２２、第１の傘歯車２５、第２の傘歯車２９、中間軸２７、下部歯車３０、中間歯車３１、上部歯車３２を介して回転軸３５に伝達され、転動部１６を弾性部材３６の弾性に抗して、他方に揺動させる。上記したように、出力軸９３の回転が反転するため、他方に揺動した転動部１６が、弾性部材３６の弾性により、瞬間的に一方に揺動し、転動部１６の一方の下端縁３８ａが緩衝板４７に衝突する。
【００４６】
このように、フェルトの作成装置１０は、ハンドル６６を回転させると、転動部１６は
、他方に揺動してから一方に瞬間的に揺動する動作を繰り返すことになる。なお、ハンドル６６で駆動軸６３を回転させているが、駆動モータで駆動軸６３を回転させても構わないのは勿論である。また、駆動手段５１を基台１２の短手方向側面に取り付け、出力軸９３の回転を回転軸３５に直接伝達させるようにしても構わない。
【００４７】
転動部１６に載置されている密閉容器１は、転動部１６の揺動により、当接壁３７，３８に当接する範囲で転動するため、密閉容器１内にある球体Ａは回転し、この際に密閉容器１の内面に衝突する衝突部位が変更される。また、他方に揺動した転動部１６が、弾性部材３６の弾性により、瞬間的に一方に揺動して、転動部１６の一方の下端縁３８ａが緩衝板４７に衝突して停止するから、一方の当接壁３７側にある密閉容器１が他方の当接壁３８の緩衝板４０に衝突する。このため、密閉容器１内にある球体Ａが密閉容器１の内面に衝突し、羊毛Ｂに圧力が加えられ、羊毛Ｂのキューティクルを絡めさせることができる。また、この際転動１６の一方の下端縁３８ａが緩衝板４７に衝突することにより、密閉容器１に衝撃が加えられて密閉容器１および球体Ａは微動するため、球体Ａが次に密閉容器１の内面に衝突する衝突部位が変更される。このように、フェルトの作成装置１０は、手で密閉容器１を不規則に振動させた場合とと同じように球体Ａが密閉容器１の内面に対して衝突部位を変更しつつ連続的に衝突するよう外力を与えることができる。なお、基台１２に転動部１６の揺動回数を検知するカウンターを設けても構わない。
【図面の簡単な説明】
【００４８】
【図１】本願発明に係るフェルトの作成方法に使用される密閉容器の一つの実施の形態を示す分解斜視図である。
【図２】図１の密閉容器の断面図である。
【図３】本願発明に係るフェルトの作成方法を説明する説明図である。
【図４】本願発明に係るフェルトの作成装置の一つの実施の形態を示す全体斜視図である。
【図５】図４のフェルトの作成装置の要部分解斜視図である。
【図６】図５の組立断面図である。
【図７】図５の動きを説明する動作説明図である。
【図８】図５の動きを説明する動作説明図である。
【図９】図４のフェルトの作成装置の使用方法を説明する斜視図である。
【図１０】図４のフェルトの作成装置の使用方法を説明する斜視図である。
【符号の説明】
【００４９】
Ａ  球体
Ｂ  羊毛
Ｃ  液体
Ｄ  フェルト球
１  密閉容器
２  第１の半体
２ａ  嵌合突起
３  第２の半体
３ａ  嵌合段部
１０  フェルトの作成装置
１１  振動手段
１２  基台
１３  支柱
１５  支柱
１６  転動部
１７  取付凹部
２０  歯車群
２１  軸受け部材
２２  入力軸
２３  係合ピン
２５  第１の傘歯車
２６  軸受け部材
２７  中間軸
２９  第２の傘歯車
３０  下部歯車
３１  中間歯車
３２  上部歯車
３５  回転軸
３６  弾性部材
３７  当接壁（当接部）
３７ａ  下端縁
３８  当接壁（当接部）
３８ａ  下端縁
４０  緩衝板
４１  差込穴
４２  肉厚部
４３  飛び出し防止板
４４  折曲片
４５  固定台
４６  支軸
４７  緩衝板
４８  支軸
４９  フック
５１  駆動手段
５２  ケース
５３  正面板
５４  上面板
５５  右面板
５６  左面板
５７  下面板
５８  矩形枠
５９  背面板
６１  駆動機構
６２  軸受け孔
６３  駆動軸
６５  フランジ
６６  回転ハンドル
６７  ネジ
６８  ネジ
６９  矩形軸
７０  大平歯車
７１  固定爪車
７２  ガイド壁
７３  可動爪車
７４  爪クラッチ
７５  弾性部材
７６  凹部
７７  キャップ
７９  取付部材
８０  開口
８１  係合板
８２  ガイド壁
８３  被係合板
８５  中間軸
８６  中間歯車
８７  下部軸
８９  下部歯車
９０  円板
９１  周壁
９２  係合突起
９３  出力軸（出力部）
９４  支軸
９５  揺動部材
９６  長孔
９７  弾性部材
９８  係合軸
９９  係合溝
【図１】
2004339673.tif 000003
【図２】
2004339673.tif 000004
【図３】
2004339673.tif 000005
【図４】
2004339673.tif 000006
【図５】
2004339673.tif 000007
【図６】
2004339673.tif 000008
【図７】
2004339673.tif 000009
【図８】
2004339673.tif 000010
【図９】
2004339673.tif 000011
【図１０】
2004339673.tif 000012
【手続補正書】
【提出日】平成16年1月5日(2004.1.5)
【手続補正１】
【補正対象書類名】特許請求の範囲
【補正対象項目名】全文
【補正方法】変更
【補正の内容】
【特許請求の範囲】
【請求項１】
球体に羊毛を巻き付ける第１の工程と、
前記羊毛を巻き付けた球体と羊毛のキューティクルを開かせる液体を、密閉容器内に入れる第２の工程と、
球体を密閉容器の内面に衝突部位を変更しつつ連続的に衝突させることにより、球体に巻きつけられた羊毛に圧力を加えて前記液体により開いた羊毛のキューティクル同志を絡めさせて羊毛をフェルト化させる第３の工程と、
密閉容器内から球体を取り出し、洗浄後、乾燥させる第４の工程と、
からなることを特徴とするフェルトの作成方法。
【請求項２】
球体に羊毛を巻き付ける第１の工程と、
前記羊毛を巻き付けた球体と羊毛のキューティクルを開かせる液体を、密閉容器内に入れる第２の工程と、
前記球体を前記密閉容器の内面に対して衝突部位を変更しつつ連続的に衝突させることにより、球体に巻きつけられた羊毛に圧力を加えて前記液体により開いた羊毛のキューティクル同志を絡めさせて羊毛をフェルト化させる第３の工程と、
密閉容器内から球体を取り出し、洗浄後、球体の球面に沿って丸め、乾燥させる第４の工程と、
からなることを特徴とするフェルト球の作成方法。
【請求項３】
羊毛を巻き付けた球体と羊毛のキューティクルを開かせる液体を入れる密閉容器に対して、球体を密閉容器の内面に対して衝突部位を変更しつつ連続的に衝突させることによりフェルトを作成するフェルトの作成装置であって、
振動手段と駆動手段からなり、
振動手段は、前記密閉容器を転動させる転動部と、転動部の転動方向両側に設けられ、転動した密閉容器を当接させる当接部とを有し、
駆動手段は、振動手段の転動部の傾斜方向を交互に変えて、密閉容器を転動部において強制的に往復転動させ、密閉容器内の球体を回転させると共に、密閉容器が当接部に当接した時に密閉容器内の球体を密閉容器の内面に衝突させて、羊毛に圧力を加え、開いたキューティクル同志を絡めさせて羊毛をフェルト化させる駆動機構を有することを特徴とするフェルトの作成装置。
【請求項４】
駆動手段の駆動機構は、転動部を一方に傾けるように付勢する弾性部材と、転動部に連係され、間欠的に転動部を駆動する出力部とを有し、出力部が駆動されると、転動部が弾性部材の弾性に抗して他方に傾いて密閉容器を他方に転動させ、出力部の駆動が解除されると、転動部が弾性部材の弾性によって一方に傾いて密閉容器を一方に転動させて一方の当接部に当接させるようになっていることを特徴とする請求項３記載のフェルトの作成装置。
【請求項５】
駆動手段の駆動機構は、回転ハンドルを備え、回転ハンドルの駆動が出力部に間欠的に伝達されるようになっていることを特徴とする請求項４記載のフェルトの作成装置。
【請求項６】
駆動手段の駆動機構は、駆動モータを備え、駆動モータの駆動が出力部に間欠的に伝達されるようになっていることを特徴とする請求項４記載のフェルトの作成装置。
【請求項７】
球体に羊毛を巻き付ける第１の工程と、
前記球体と羊毛のキューティクルを開かせる液体を容器内に入れる第２の工程と、
球体に巻きつけられた羊毛に圧力を加えて、開いた羊毛のキューティクル同志を絡めさせて羊毛をフェルト化させる第３の工程と、
からなり、
前記第３の工程は、前記球体を容器の内面に衝突部位を変更しつつ連続的に衝突させる工程を含むことを特徴とするフェルト球の作成方法。
【手続補正２】
【補正対象書類名】明細書
【補正対象項目名】００１０
【補正方法】変更
【補正の内容】
【００１０】
本願請求項６記載のフェルトの作成装置は、上記第３の目的を達成するため、上記駆動手段の駆動機構は、駆動モータを備え、駆動モータの駆動が出力部に間欠的に伝達されるようになっている。
また、本願請求項７記載の発明は、次の工程を備えるものである。球体に羊毛を巻き付ける第１の工程と、前記球体と羊毛のキューティクルを開かせる液体を容器内に入れる第２の工程と、球体に巻きつけられた羊毛に圧力を加えて、開いた羊毛のキューティクル同志を絡めさせて羊毛をフェルト化させる第３の工程と、からなり、前記第３の工程は、前記球体を容器の内面に衝突部位を変更しつつ連続的に衝突させる工程を含むことを特徴とするフェルト球の作成方法。